(57)【要約】      （修正有）【課題】プレスフォーミング工法によって隆起部分を形成する際に、稜線に材料歪が少なく強度が確保された携帯型情報処理装置の外装筐体を提供する。【解決手段】隆起部分１Ａは２組の向かいあう稜線１Ｂまたは１Ｄに囲まれている。そして天面１Ｃは、２組の稜線のいずれか一方に対して凹状の曲面となっている。またこのような外装筐体は板状の金属材料を固定し、この素材を加熱しながら押圧して天面を形成する隆起部分を成形することで製造される。この隆起部分１Ａを成形する際には、隆起部分１Ａが２組の稜線１Ｂ、１Ｄとのいずれか一方に対して凹状の曲面となるようにする。【選択図】図１
2006323800.tif 000002
【特許請求の範囲】
【請求項１】
天面を形成する隆起部分と、
前記隆起部分を囲んで互いに対向する第１の稜線の組と、
前記隆起部分を囲み、前記第１の稜線の組と隣接し、互いに対向する第２の稜線の組と、
を備え、
前記天面が、前記第１の稜線の組と前記第２の稜線の組とのいずれか一方に対して凹状の曲面となっていることを特徴とする外装筐体。
【請求項２】
前記凹状の曲面の曲線状の稜線を形成する前記第１の稜線の組と前記第２の稜線の組とのいずれか一方が、同心の円弧形状であることを特徴とする請求項１記載の外装筐体。
【請求項３】
マグネシウム合金で構成されていることを特徴とする請求項１記載の外装筐体。
【請求項４】
板状の金属材料を固定するステップと、
前記素材を加熱しながら押圧して天面を形成する隆起部分を成形するステップと、
を備え、
前記隆起部分が互いに対向する第１の稜線の組と、前記第１の稜線の組と隣接し、互いに対向する第２の稜線の組とに囲まれ、前記天面が前記第１の稜線の組と前記第２の稜線の組とのいずれか一方に対して凹状の曲面となるように前記隆起部分を成形することを特徴とする外装筐体の製造方法。
【請求項５】
前記凹状の曲面の曲線状の稜線を形成する前記第１の稜線の組と前記第２の稜線の組とのいずれか一方が、同心の円弧形状となるように前記隆起部分を成形することを特徴とする請求項４記載の外装筐体の製造方法。
【請求項６】
前記板状の金属材料はマグネシウム合金で構成されていることを特徴とする請求項４記載の外装筐体の製造方法。
【請求項７】
表示装置を内蔵する表示部と、
前記表示部と回動可能に取り付けられ、前記表示部に接続された情報処理部を内蔵する本体と、
前記表示部と前記本体部とのいずれか一方に含まれ、
天面を形成する隆起部分と、
前記隆起部分を囲んで互いに対向する第１の稜線の組と、
前記隆起部分を囲み、前記第１の稜線の組と隣接し、互いに対向する第２の稜線の組と、を有し、
前記天面が、前記第１の稜線の組と前記第２の稜線の組とのいずれか一方に対して凹状の曲面となっている外装筐体と、
を備えたことを特徴とする携帯型情報処理装置。
【発明の詳細な説明】
【技術分野】
【０００１】
本発明はノート型パーソナルコンピューターや携帯型情報端末装置等の携帯型情報処理装置に用いる外装筐体とその製造方法に関する。
【背景技術】
【０００２】
近年、ノート型パーソナルコンピューターや携帯型情報端末装置等である携帯型情報処理装置の軽量化が進んでいる。その一環として、液晶表示装置が内蔵された表示部の外装筐体には、軽量で強度の高いマグネシウム合金などが使用されてきている。さらに、このような外装筐体の製造には、マグネシウムダイキャストのように溶融成型する工法よりもむしろ、より軽量にするために薄肉化が可能な板材のプレスフォーミング工法が採用されるようになっている。
【０００３】
図４は従来の携帯型情報処理装置の表示部の断面図である。この図では設計値上の構造を示している。背面筐体３１は、液晶表示装置３２を背面から覆っている。背面筐体３１は、稜線３１Ｂを介して凸状に隆起した隆起部分３１Ａを有している。隆起部分３１Ａは平面状に形成され、天面３１Ｃを形成している。液晶表示装置３２の前面には前筐体３３が配置されている。
【０００４】
このような形状は、いわゆるボンネット構造と呼ばれる。ボンネット構造は薄肉の材料で筐体を形成する場合に用いられる。ボンネット構造を有する背面筐体３１の強度は高くなる。このようなボンネット構造を携帯型情報処理装置の筐体に適用した例は例えば特許文献１に開示されている。
【０００５】
次に、プレスフォーミング工法による背面筐体３１の製作手順について説明する。図５は背面筐体３１をプレスフォーミング工法にて作製する工程における概略図である。マグネシウム合金の板状の素材４４は、ブランクホルダー４６とダイセット４３との間に挟まれ、ヒーター４５によって加熱されながらパンチ４２により押圧されて成形される。
【特許文献１】特開２００３−２０４１７４号公報
【発明の開示】
【発明が解決しようとする課題】
【０００６】
しかしながら、プレスフォーミングによって隆起部分３１Ａを形成する際には、稜線３１Ｂに材料歪が発生する。そのため、隆起部分３１Ａが平面状ではなく波状に変形する。また材料がマグネシウム合金の場合、材料の曲げによるクラックを防止するために２００℃以上の高温でプレスフォーミングされることが一般的である。この加熱時に材料が熱膨張する。そのため、上記のような材料を用いる場合、特に肉余り現象が発生しやすく、隆起部分３１Ａが凹凸状に変形する。図６はこのような形状を説明するために寸法を誇張した背面筐体３１の断面図である。実際の凹凸段差は±０．５ｍｍ程である。しかしながら、不規則に表面が凹凸状に変形すると、外観上の見栄えが美しくない。しかも凸状になった部分は、少しの外力で凹状へ変化しやすい。このように面の張りが維持されず、面強度が著しく低下する。
【課題を解決するための手段】
【０００７】
上記従来の課題を解決するために本発明の外装筐体は、
天面を形成する隆起部分と、
前記隆起部分を囲んで互いに対向する第１の稜線の組と、
前記隆起部分を囲み、前記第１の稜線の組と隣接し、互いに対向する第２の稜線の組と、
を備え、
前記天面が、前記第１の稜線の組と前記第２の稜線の組とのいずれか一方に対して凹状の曲面となっていることを特徴とするものであり、
プレスフォーミング工法での材料歪や、熱膨張による隆起面の凹凸の少ない、安定した形状を有する携帯型情報処理装置の外装筐体を提供できる。
【発明の効果】
【０００８】
本発明による携帯型情報処理装置の外装筐体では、薄肉板材を部分的に隆起させて強度が高められている。さらに、プレスフォーミング工法での材料歪や、熱膨張による隆起面の凹凸の少ない、安定した形状を有する携帯型情報処理装置の外装筐体を提供できる。
【発明を実施するための最良の形態】
【０００９】
以下、本発明の実施の形態を、図面を参照しながら説明する。
【００１０】
（実施の形態１）
図１（Ａ）は本発明の実施の形態における携帯型情報処理装置の表示部の断面を示している。図１（Ｂ）は図１（Ａ）に示す表示部の背面筐体の要部拡大斜視図である。表示部４は液晶表示装置（以下、表示装置）２と背面筐体１と前筐体３とを有する。外装筐体である背面筐体１は、表示装置２を背面から覆っている。背面筐体１の上面側には稜線１Ｂを介して凸状に隆起した隆起部分１Ａが設けられている。隆起部分１Ａは天面１Ｃを形成している。隆起部分１Ａは第１の稜線１Ｂの組と、稜線１Ｂに隣接する第２の稜線１Ｄの組とに囲まれている。表示装置２の前面には前筐体３が配置されている。すなわち表示装置２は、前筐体３と背面筐体１とが嵌合固定された間に配置されている。
【００１１】
背面筐体１は、軽量で高強度を実現するため、厚さ０．５〜０．７ｍｍのマグネシウム合金の板材をプレスフォーミング工法によって作製されていることが好ましい。隆起部分１Ａは、薄肉板金で構成される背面筐体１の強度を高めている。また隆起部分１Ａの天面１Ｃは稜線１Ｂより凹形状となるような曲面となっている。この曲面は、図１（Ｂ）に示すように円筒面であることが好ましい。すなわち、互いに向かい合う２本の稜線１Ｄが同心の円弧形状であることが好ましい。図１（Ａ）、図１（Ｂ）では、このような形状が誇張して示されている。稜線１Ｂと凹形状の底との段差は０．４ｍｍ以上０．６ｍｍ以下であるが、一定の曲率で形成されているため、目視ではほとんど目立たない。
【００１２】
図２（Ａ）は本実施の形態による背面筐体１を用いた携帯型情報処理装置の斜視図である。表示部４は本体５に回動可能に取り付けられている。図２（Ｂ）は図２（Ａ）に示す携帯型情報処理装置のブロック図である。表示装置２と入力部７は情報処理部６に接続されている。情報処理部６はＣＰＵ、メモリ、ハードディスク等を有し、本体５に内蔵されている。入力部７は本体５に設けられたキーボード、タッチパネル、トラックボールあるいは外部装置とのインタフェース、メディアドライブや、ケーブルを介して接続されたマウス等である。表示部４の表示装置２に例えばタッチパネルを用いて入力部５を構成してもよい。
【００１３】
以上のように構成された携帯型情報処理装置の背面筐体１には、強度を高めるために一部を隆起させた隆起部分１Ａが設けられている。さらに、隆起部分１Ａによって形成された天面１Ｃは周囲の稜線１Ｂより凹形状となるような曲面となっている。そのため天面１Ｃに外力が加わっても、面の張りが維持され、面強度が確保される。したがって、薄肉板材で背面筐体１が構成されていても、外力に対する強度が確保される。すなわちより軽量な背面筐体１が得られる。
【００１４】
次に背面筐体１の製造方法について図３を用いて説明する。図３は本実施の形態における背面筐体をプレスフォーミング工法にて作成する工程における概略図である。まず金属材料からなる板状の素材１４を、ブランクホルダー１６とダイセット１３との間に挟んで固定する。素材１４はマグネシウム合金であることが好ましい。そしてヒーター１５によって素材１４を加熱しながらパンチ１２により押圧して成形する。このようにして背面筐体１が製造される。
【００１５】
ここで、ダイセット１３には凸部１３Ａが設けられ、パンチ１２には凸部１３Ａに対応する凹部１２Ａが設けられている。すなわち、パンチ１２とダイセット１３とは、凹形状の天面１Ｃを形成するための曲面構造を有している。そのため、図１（Ａ）、図１（Ｂ）に示したような天面１Ｃを有する隆起部分１Ａが形成される。
【００１６】
背面筐体１を上記のようにプレスフォーミング工法にて作製する場合、加工材料歪や、熱膨張による肉余り現象による歪が発生する場合がある。このような場合でも、肉余り部分が、天面１Ｃをより凹になる方向で変形することから、天面１Ｃが凸状になることはない。そのため天面１Ｃは常に安定して凹形状となる。そのため、背面筐体１の歩留が向上する。
【００１７】
なお、天面１Ａにおける曲面では互いに向かい合う２本の稜線１Ｄが同心の円弧形状であることが好ましい。このように一定の曲率で天面１Ｃが構成されることにより、外部からかかる力が局部的に集中することがなく、天面１Ｃの外部からかかる力による変形がより起こりにくくなる。すなわち、一様な凹形状で安定した形状を作製すれば、さらに背面筐体１の面強度が向上する。
【００１８】
なお、天面１Ｃは稜線１Ｂより凹形状となるような曲面となっている例について説明したが、これに限定されない。天面１Ｃは稜線１Ｄより凹形状となるような曲面となっていてもよい。すなわち、天面１Ｃは周囲の稜線の内、向かい合う２組の稜線のいずれかに対して凹状の曲面となっていればよい。いずれの場合もプレスフォーミング工法での材料歪や、熱膨張による隆起面の凹凸の少ない、安定した形状となる。そして天面１Ｃの外部からかかる力による変形がより起こりにくい。この場合でも、互いに向かい合う２本の稜線１Ｂが同心の円弧形状であることが好ましい。すなわち、凹状の曲面の曲線状の１組の稜線が同心の円弧形状であることが好ましい。
【００１９】
なお、本実施の形態では、背面筐体１の材料としてマグネシウム合金を用いる例を説明している。これ以外に、アルミニウム合金その他の薄肉の板状金属材料を用いてもよい。ただし筐体全体の強度の観点からはマグネシウム合金が特に好ましい。
【００２０】
また、表示部４の背面筐体１に限らず、それ以外の外装筐体、例えば本体５の背面筐体に適用してもよい。また表示部４、本体部５の両方に適用してもよい。
【００２１】
また本実施の形態ではプレスフォーミング工法で背面筐体１を製造する方法について説明しているが、溶融成型工法により製造してもよい。この場合でも、天面１Ｃの強度が向上する。
【産業上の利用可能性】
【００２２】
以上のように本発明による携帯型情報処理装置の外装筐体では、薄肉板材を部分的に隆起させて強度が高められている。さらに、プレスフォーミング工法での材料歪や、熱膨張による隆起面の凹凸の少ない、安定した形状を有する。この外装筐体は、携帯型情報処理装置の表示部などに有用である。
【図面の簡単な説明】
【００２３】
【図１】（Ａ）は本発明の実施の形態による携帯型情報処理装置の表示部の断面図、（Ｂ）は（Ａ）に示す表示部の背面筐体の要部拡大斜視図
【図２】（Ａ）は本発明の実施の形態による背面筐体を用いた携帯型情報処理装置の斜視図、（Ｂ）は（Ａ）に示す携帯型情報処理装置のブロック図
【図３】図１（Ａ）に示す背面筐体をプレスフォーミング工法にて作製する工程における概略図
【図４】従来の携帯型情報処理装置の表示部の設計値上の構造の断面図
【図５】従来の背面筐体をプレスフォーミング工法にて作成する工程における概略図
【図６】従来の形状を説明するために寸法を誇張した背面筐体の断面図
【符号の説明】
【００２４】
１  背面筐体
１Ａ  隆起部分
１Ｂ  稜線
１Ｃ  天面
２  液晶表示装置（表示装置）
３  前筐体
４  表示部
【図１】
2006323800.tif 000003
【図２】
2006323800.tif 000004
【図３】
2006323800.tif 000005
【図４】
2006323800.tif 000006
【図５】
2006323800.tif 000007
【図６】
2006323800.tif 000008